【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
無線アクセス端末（Ｗ−ＡＴ）においてターゲット特定コンテンツメッセージを受信する方法であって、
ユーザープロフィール及びメッセージ引き渡しスケジュールに基づいて少なくとも１つのメッセージ受信時間を選択することと、
無線通信リンクを介して前記選択された時間に少なくとも第１のターゲット特定コンテンツメッセージを受信すること、とを備える、方法。
【請求項２】
前記メッセージ引き渡しスケジュールを遠隔装置から受信することをさらに備える請求項１に記載の方法。
【請求項３】
前記メッセージ引き渡しスケジュールは、前記ユーザープロフィールに関連する情報を含む請求項１に記載の方法。
【請求項４】
前記メッセージ引き渡しスケジュールに基づいて前記Ｗ−ＡＴをスリープモードにすることをさらに備える請求項１に記載の方法。
【請求項５】
前記第１のターゲット特定コンテンツメッセージを受信することに後続してスリープモードにすることによって前記Ｗ−ＡＴのスリープモード設定に応じることをさらに備える請求項１に記載の方法。
【請求項６】
前記第１のターゲット特定コンテンツメッセージが前記スケジュールに従って受信されるべき時間に前記Ｗ−ＡＴがスリープモードに設定されている場合には、前記メッセージ引き渡しスケジュールにおいて指定されるコンタクトウィンドウの前に又はコンタクトウィンドウ中に前記スリープモードを解除する請求項１に記載の方法。
【請求項７】
前記ターゲット特定コンテンツメッセージの前記受信に後続してスリープモードにすることによって前記Ｗ−ＡＴのスリープモード設定に応じることをさらに備える請求項６に記載の方法。
【請求項８】
前記受信時間を選択することは、少なくとも１つのコンタクトウィンドウに従って前記第１のターゲット特定コンテンツメッセージを受信するために行われる請求項１に記載の方法。
【請求項９】
前記ターゲット特定コンテンツメッセージを前記Ｗ−ＡＴ上のキャッシュにおいて保持することをさらに備える請求項１に記載の方法。
【請求項１０】
前記ターゲット特定コンテンツメッセージと関連づけられたメタデータにおいて提供される規則に従って前記ターゲット特定コンテンツメッセージを前記Ｗ−ＡＴ上のキャッシュにおいて保持することをさらに備える請求項１に記載の方法。
【請求項１１】
前記第１のターゲット特定コンテンツメッセージは、少なくとも１つのターゲット特定コンテンツメッセージに関するターゲット特定メタデータと受信時間とを含む請求項１に記載の方法。
【請求項１２】
前記Ｗ−ＡＴにおいて前記ターゲット特定メタデータ及び前記ユーザープロフィールに基づいて第２のターゲット特定コンテンツメッセージに関する第２の受信時間を決定することと、
前記第２のターゲット特定コンテンツメッセージを前記第２の受信時間に受信すること、とをさらに備える請求項１１に記載の方法。
【請求項１３】
ターゲット特定コンテンツメッセージを受信するように構成された無線アクセス端末（Ｗ−ＡＴ）であって、
ユーザープロフィール及びターゲット特定コンテンツメッセージ引き渡しスケジュールに基づいて少なくとも１つの受信時間を選択するための手段と、
無線通信リンクを介して前記選択された時間に少なくとも第１のターゲット特定コンテンツメッセージを受信するための手段と、を備える、無線アクセス端末。
【請求項１４】
前記ターゲット特定コンテンツメッセージ引き渡しスケジュールを受信するための手段をさらに備える請求項１３に記載の端末。
【請求項１５】
前記ターゲット特定コンテンツメッセージを受信することに後続してスリープモードにすることによって前記Ｗ−ＡＴのスリープモード設定に応じるための手段をさらに備える請求項１３に記載の端末。
【請求項１６】
前記スケジュールに従ってメッセージが受信されるべき時間に前記Ｗ−ＡＴがスリープモードに設定されている場合には、前記Ｗ−ＡＴは、前記コンタクトウィンドウの前に又は前記コンタクトウィンドウ中に前記スリープモードを解除するように構成される請求項１３に記載の端末。
【請求項１７】
前記ターゲット特定コンテンツメッセージの前記受信に後続してスリープモードにすることによって前記Ｗ−ＡＴのスリープモード設定に応じるための手段をさらに備える請求項１６に記載の端末。
【請求項１８】
前記ターゲット特定コンテンツメッセージを前記Ｗ−ＡＴ上のキャッシュにおいて保持するための手段をさらに備える請求項１３に記載の端末。
【請求項１９】
前記第１のターゲット特定コンテンツメッセージは、ターゲットが特定された広告である請求項１３に記載の端末。
【請求項２０】
ターゲット特定コンテンツメッセージを受信するように構成された無線アクセス端末（Ｗ−ＡＴ）であって、
ユーザープロフィール及びターゲット特定コンテンツメッセージ引き渡しスケジュールに基づいて少なくとも１つのメッセージ受信時間を選択するように構成された選択回路と、
無線通信リンクを介して前記選択された受信時間に少なくとも第１のターゲット特定コンテンツメッセージを受信するように構成された受信回路と、を備える、無線アクセス端末。
【請求項２１】
前記受信回路は、前記ターゲット特定コンテンツメッセージ引き渡しスケジュールを受信するようにさらに構成される請求項２０に記載の端末。
【請求項２２】
前記ターゲット特定コンテンツメッセージを前記受信することに後続してスリープモードにすることによって前記Ｗ−ＡＴのスリープモード設定に応じるように構成されたタイミング回路をさらに備える請求項２０に記載の端末。
【請求項２３】
前記スケジュールに従ってメッセージが受信されるべき時間に前記Ｗ−ＡＴがスリープモードに設定されている場合には、前記Ｗ−ＡＴは前記コンタクトウィンドウの前に又は前記コンタクトウィンドウ中に前記スリープモードを解除するように構成される請求項２０に記載の端末。
【請求項２４】
前記ターゲット特定コンテンツメッセージの前記受信に後続してスリープモードにすることによって前記Ｗ−ＡＴのスリープモード設定に応じるように構成されたタイミング回路をさらに備える請求項２３に記載の端末。
【請求項２５】
前記第１のターゲット特定コンテンツメッセージは、ターゲットが特定された広告である請求項２０に記載の端末。
【請求項２６】
コンピュータプログラム製品であって、
ユーザープロフィール及びメッセージ引き渡しスケジュールに基づいて少なくとも１つのメッセージ受信時間を選択するための第１の組の命令と、
無線通信リンクを介して前記選択された時間に少なくとも第１のターゲット特定コンテンツメッセージを受信するための第２の組の命令と、を備えるコンピュータによって読み取り可能な媒体、を備える、コンピュータプログラム製品。
【請求項２７】
前記メッセージ引き渡しスケジュールを遠隔装置から受信するための第３の組の命令をさらに備える請求項２６に記載のコンピュータプログラム製品。
【請求項２８】
前記第１のターゲット特定コンテンツメッセージを受信することに後続してスリープモードにすることによって前記Ｗ−ＡＴのスリープモード設定に応じるための第４の組の命令をさらに備える請求項２６に記載のコンピュータプログラム製品。
【請求項２９】
前記第１のターゲット特定コンテンツメッセージが前記スケジュールに従って受信されるべき時間に前記Ｗ−ＡＴがスリープモードに設定されている場合には前記コンタクトウィンドウの前に又は前記コンタクトウィンドウ中にスリープモードを解除するための第５の組の命令をさらに備える請求項２６に記載のコンピュータプログラム製品。
【請求項３０】
前記第１のターゲット特定コンテンツメッセージは、ターゲットが特定された広告である請求項２９に記載の方法。
【請求項３１】
ユーザープロフィール及びターゲット特定コンテンツメッセージ引き渡しスケジュールに基づいて少なくとも１つのメッセージ受信時間を選択するように構成された選択回路と、
無線通信リンクを介して前記選択された時間に少なくとも第１のターゲット特定コンテンツメッセージを受信するように構成された受信回路と、をいっしょに備える１つ以上の集積回路。
【請求項３２】
装置であって、
処理回路と、
ユーザープロフィール及びメッセージ引き渡しスケジュールに基づいて少なくとも１つのメッセージ受信時間を選択するための第１の組の命令と、
無線通信リンクを介して前記選択された時間に少なくとも第１のターゲット特定コンテンツ−メッセージを受信するための第２の組の命令と、を含む前記処理回路に結合されたメモリと、を備える、装置。